(57)【要約】【課題】  打撃と反撃のくり返しができる、実戦に即した単独稽古が行える練習具を提供することを目的とする。【解決手段】  床台６の支柱５の先端に取付けられた球体２と、球体２を覆うように取付けた球体カバー３からなり、球体カバー３は、球体２から抜けないように半球以上を覆い、球体２に対して自由回転できるようにし、さらに球体カバー３には、複数の棒４が取付けられ、棒４に打撃を加えることで球体カバー３が回転して、打撃を加えた以外の棒４が反撃するようにしたことを特徴とする空手の練習具１である。【選択図】図１
0003198537.tif 000002
【実用新案登録請求の範囲】
【請求項１】
床台の支柱の先端に取付けた球体と、球体を覆うように取付けた球体カバーからなり、球体カバーは、球体から抜けないように半球以上を覆い、球体に対して自由回転できるようにし、さらに球体カバーには、複数の棒が取付けられ、棒に打撃を加えることで球体カバーが回転して、打撃を加えた以外の棒が反撃するようにしたことを特徴とする空手の練習具。
【請求項２】
前記支柱の任意の箇所に、突きや蹴り等の打撃を加えることができる複数の標的が設けてあることを特徴とする請求項１に記載の空手の練習具。
【考案の詳細な説明】
【技術分野】
【０００１】  本考案は、空手の実戦を想定した単独稽古が行える練習具に関する。
【背景技術】
【０００２】  従来から空手の練習具として、巻藁等の練習具が一般的に使用されているが空手の普及と伴って練習具も多様化してきている。【０００３】  前記の巻藁とは、沖縄伝統の空手道で、直立に静止した状態の板状のものに正拳あるいは手刀等を打ち付け鍛錬するためのものである。この打ち付ける部分に藁を巻き付け、打撃時の拳足を保護できるようにしたものであり、打撃のくり返しによる部位鍛錬等を行っている。【０００４】  上記の練習具とは、主に以下のように大別できる。
（１）固定形式
（２）移動可能形式【０００５】  （１）の固定形式として例えば、天井から垂直に吊り下げて使用するサンドバッグ等の練習具がある。これに打撃を加えると吊元を軸にした垂直運動が生じ、この垂直運動により特に拳足の連続した打撃練習等を行っている。【０００６】  また、前記の練習具の両端を天井から水平に２点で吊り下げて使用することもできる。これに打撃を加えると吊元を軸にした水平運動が生じ、この水平運動により特に蹴りの練習等を行っている。【０００７】  （２）の移動可能形式として例えば、スタンド型のパンチングボール等の練習具がある。これに打撃を加えると支柱の根元を軸にした垂直運動が生じ、この垂直運動により特にボクシングの練習等を行っている。
【考案の概要】
【考案が解決しようとする課題】
【０００８】  打撃と反撃のくり返しができる、実戦に即した単独稽古が行える練習具を提供することを目的とする。
【課題を解決するための手段】
【０００９】  床台の支柱の先端に取付けた球体と、球体を覆うように取付けた球体カバーからなり、球体カバーは、球体から抜けないように半球以上を覆い、球体に対して自由回転できるようにし、さらに球体カバーには、複数の棒が取付けられ、棒に打撃を加えることで球体カバーが回転して、打撃を加えた以外の棒が反撃するようにしたことを特徴とする空手の練習具である。【００１０】  前記支柱の任意の箇所に、突きや蹴り等の打撃を加えることができる複数の標的を設けてあることを特徴とする空手の練習具である。
【考案の効果】
【００１１】  以上のとおり本考案の空手の練習具は、球体カバーに取付けた複数の棒を交互に打撃することで連続した自由回転が生じる。また、打撃の強弱あるいは角度によっては、棒がより変化に富んだ動きを示す。この棒の変化に富んだ動きを敵の攻撃と見なした受けの練習を行うことができ、さらに支柱の任意の箇所に複数設けた標的に、突きや蹴り等を行い敵への反撃も同時に行えることで、攻守を兼ね備えたより実戦に即した一連の動作を練習することができる。【００１２】  前記の棒の自由回転によって、目の反射神経が鍛えられるとともに、機敏な動作を養うことができ運動神経も高められる。【００１３】  この空手の練習具は、床台の上に乗って練習を行う仕様であり練習者の体重が押え効果となって、打撃時の強い衝撃にもバランスを崩すことなく、連続した打撃練習を行うことができる。さらに練習具の移動も簡単に行える。【００１４】  上記の支柱に設けた標的とは、反撃時の突きや蹴り等の拳足を保護するために藁を巻く等の適宜処置を行った部分のことである。
【図面の簡単な説明】
【００１５】
【図１】本考案の空手の練習具の構成を示す斜視図である。
【図２】本考案の空手の練習具の組立図である。
【図３】本考案の空手の練習具の球体カバーの球体への取付け方法を示す組立図である。（ａ）取付け前  （ｂ）取付け後
【考案を実施するための形態】
【００１６】  本考案の空手の練習具の構成を図１と図２に示す。
【００１７】  本考案の空手の練習具１は、床台６の支柱５の先端に取付けた球体２と、球体２を覆うように取付けた球体カバー３からなり、球体カバー３は、球体２から抜けないように半球以上を覆い、球体２に対して自由回転できるようにし、さらに球体カバー３には、複数の棒４が取付けてある。ちなみに球体２は、支柱５と床台６にて固定され、これらが一体となった構成である。また、さらに棒４に打撃を加えることで、打撃の方向に応じて球体カバー３が自由回転する。その結果、この自由回転が球体カバー３に取付けた棒４に対して、変化に富んだ動きをもたらすことになり実戦に即した単独稽古が行える。
【００１８】  球体２は、耐久性のプラスチックス等適宜素材にて一体化形成されたものである。この球体２の内部は、素材によって空洞あるいは非空洞となる。さらにこの球体２の下の部分に、支柱５を取付けるための接続口２１も合わせて一体化形成されており、これに複数のボルト孔８が設けられている。
【００１９】  球体カバー３は、耐久性のプラスチックス等適宜素材にて一体化形成されたものである。この球体カバー３の内径は、前記球体２の外径よりも少し大きくし、これらの関係は、球体カバー３が球体２から抜けないように半球以上を覆う。さらに球体カバー３は、球体２に対して回転するときに、多少摩擦があるように取付け、球体２に対して任意の方向に自由回転するように設定している。また、図３に示すように球体カバー３は、複数の分割された半球カバー３ａと半球カバー３ｂにより組立てられているが、例えば素材が耐久性のプラスチックスの場合には、接着剤にてくっ付ける等あるいは素材が金属の場合には、溶接にてくっ付ける等適宜素材に応じたどの方法で組立てても構わない。この球体カバー３の内径は、前記球体２の外径よりも少し大きくし、球体カバー３が球体２から抜けないように半球以上を覆い、球体２に対して任意の方向に球体カバー３が自由回転する。さらにこの球体カバー３に、打撃部となる腕に見立てた複数の棒４を任意の箇所に取付けるための接続口３１も合わせて一体化形成されており、これにボルト孔８が設けられている。それから本実施例では、棒４が左右に２本水平に取付けられている場合を示している。
【００２０】  打撃部となる腕に見立てた棒４は、木材等適宜素材にて形成された円形断面のものであるが、多角形等でも構わない。この棒４の接続部４１と前記球体カバー３の接続口３１との接続方法は、差し込み、はめ込みあるいはねじ込み等どの方法でも構わない。さらにこの棒４の接続部４１には、ボルト孔８が設けられている。
【００２１】  支柱５は、木材等適宜素材にて形成された長方形断面のものであるが、円形等でも構わない。この支柱５の任意の箇所に突きや蹴り等を行う複数の標的７が設けられており、拳足を保護するため藁を巻く等の適宜処置を行っている。この支柱５の接続部５１と、上記球体２の接続口２１及び床台６の接続口６１との接続方法は、差し込み、はめ込みあるいはねじ込み等どの方法でも構わない。さらにこの支柱５の接続部５１には、複数のボルト孔８が設けられている。
【００２２】  床台６は、木材等適宜素材にて、横木６ｂの上に床板６ａを貼り付け形成されたものである。さらに支柱５を取付ける部分の床板６ａに、穴をあけその箇所には、金属等適宜素材にて形成された接続口６１が、ボルトとナット等の接続具９によって取付けられており、これに複数のボルト孔８が設けられている。この接続口６１を床板６ａに取付ける方法は、それぞれの素材に応じた適宜方法にて取付けても構わない。
【００２３】  上記の各接続部分は、ボルトとナット等の接続具９によって、緊結されているが、それぞれの素材に応じた適宜方法にて緊結しても構わない。
【符号の説明】
【００２４】  １    空手の練習具
２    球体
２１  接続口
３    球体カバー
３１  接続口
３ａ  半球カバー
３ｂ  半球カバー
４    棒
４１  接続部
５    支柱
５１  接続部
６    床台
６１  接続口
６ａ  床板
６ｂ  横木
７    標的
８    ボルト孔
９    接続具
【図１】
0003198537.tif 000003
【図２】
0003198537.tif 000004
【図３】
0003198537.tif 000005